(57)【要約】【課題】テレビドアホン装置の機能を有効に使用した地域監視システムを提供する。【解決手段】テレビドアホン装置１の玄関子機４０および監視カメラ６０は、道路５側の屋外情報を取得することができる。また、テレビドアホン装置１の中継親機１０は、玄関子機４０が取得した屋外情報を、ネットワーク上に設けられた情報格納サーバ１００に送信することができる。情報格納サーバ１００は、各テレビドアホン装置１から送信された屋外情報（主として、静止画像）を、蓄積する。情報管理サーバ２００は、情報格納サーバ１００に格納された屋外情報に基づいて、複数のテレビドアホン装置１が設置された地域を監視する。これにより、情報格納サーバ１００は、特別な監視装置を設けることなく、地域内の屋外情報を収集することができる。そのため、地域監視システム８００を構築するために必要となるコストを大幅に低減させることが可能となる。【選択図】図１
2008112402.tif 000002
【特許請求の範囲】
【請求項１】
(a)  情報格納サーバと、
(b)  ネットワークを介して前記情報格納サーバと接続された情報管理サーバと、
(c)  各々が前記ネットワークを介して前記情報格納サーバおよび前記情報管理サーバと接続されており、
(c-1)  家屋の道路側に設けられ、訪問者に関する情報を含めた前記家屋外の屋外情報を取得可能な玄関子機と、
(c-2)  前記玄関子機との間でデータ通信可能とされており、前記玄関子機が取得した前記屋外情報を対応する位置情報とともに、前記情報格納サーバに送信可能な中継親機と、
を有する複数のテレビドアホン装置と、
を備え、
前記情報格納サーバは、
(a-1)  各テレビドアホン装置から送信された屋外情報を、送信元の前記テレビドアホン装置の前記位置情報と対応付けて追加格納可能な屋外情報格納テーブル、
を記憶する記憶部、
を有し、
前記情報管理サーバは、前記屋外情報格納テーブルの屋外情報に基づいて、前記複数のテレビドアホン装置が設置された地域を監視可能なことを特徴とする地域監視システム。
【請求項２】
(a)  情報管理サーバと、
(b)  各々がネットワークを介して前記情報管理サーバと接続されており、
(b-1)  家屋の道路側に設けられ、訪問者に関する情報を含めた前記家屋外の屋外情報を取得可能な玄関子機と、
(b-2)  前記玄関子機との間でデータ通信可能とされており、前記玄関子機が取得した前記屋外情報を対応する位置情報とともに、前記情報管理サーバに送信可能な中継親機と、
を有する複数のテレビドアホン装置と、
を備え、
前記情報管理サーバは、
(a-1)  各テレビドアホン装置から送信された屋外情報を送信元の前記テレビドアホン装置の前記位置情報と対応付けて追加格納可能な屋外情報格納テーブル、
を記憶する記憶部、
を有し、
前記屋外情報格納テーブルの屋外情報に基づいて、前記複数のテレビドアホン装置が設置された地域を監視することを特徴とする地域監視システム。
【請求項３】
請求項１または請求項２に記載の地域監視システムにおいて、
前記玄関子機は、
前記道路側を撮像可能な撮像部、
を有するとともに、前記撮像部によって撮像された映像を前記屋外情報として取得可能とされており、
前記中継親機は、前記玄関子機にて撮像された所定長さの前記映像を所定の周期で送信可能とされていることを特徴とする地域監視システム。
【請求項４】
請求項１または請求項２に記載の地域監視システムにおいて、
前記玄関子機は、
前記道路側を撮像可能な撮像部、
を有するとともに、前記撮像部によって撮像された映像を前記屋外情報として取得可能とされており、
前記中継親機は、
前記撮像部によって撮像された映像から第１の人の動きを検出する第１動き検出部、
を有するとともに、前記第１の人の動きの検出をトリガとして、前記トリガに対応する前記映像を送信可能とされていることを特徴とする地域監視システム。
【請求項５】
請求項１または請求項２に記載の地域監視システムにおいて、
前記玄関子機は、
前記道路側を撮像可能な撮像部と、
前記道路側の音声を受音する受音部と、
を有するとともに、前記撮像部によって撮像された映像と、前記受音部によって受音された音声データと、を前記屋外情報として取得可能とされており、
前記中継親機は、
前記受音部によって受音された音声データから異常音を検出する異常音検出部、
を有するとともに、前記異常音の検出をトリガとして、前記トリガに対応する前記映像を送信可能とされていることを特徴とする地域監視システム。
【請求項６】
請求項１または請求項２に記載の地域監視システムにおいて、
前記玄関子機は、
前記道路側を撮像可能な撮像部と、
前記道路側を検知範囲とする人感センサと、
を有するとともに、前記撮像部によって撮像された映像と、前記人感センサによる検知結果と、を前記屋外情報として取得可能とされており、
前記中継親機は、前記人感センサの能動化をトリガとして、該トリガに対応する前記映像を取得するとともに、前記映像を送信可能とされていることを特徴とする地域監視システム。
【請求項７】
請求項１または請求項２に記載の地域監視システムにおいて、
前記玄関子機は、
前記道路側を撮像可能な撮像部と、
タグ情報所有者のタグ情報送信部から送信されたタグ情報を受信可能なタグ情報受信部と、
を有するとともに、前記撮像部によって撮像された映像と前記タグ情報とを前記屋外情報として取得可能とされており、
前記中継親機は、前記玄関子機が受信した前記タグ情報をトリガとして、前記トリガに対応する前記映像と前記タグ情報とを送信可能とされていることを特徴とする地域監視システム。
【請求項８】
請求項７に記載の地域監視システムにおいて、
前記情報管理サーバは、
前記屋外情報格納テーブルを検索して、検索結果に基づいた前記屋外情報を取得可能な検索部と、
前記検索結果に基づき前記屋外情報として取得された映像に基づいて、第２の人を抽出する第２動き検出部と、
特定人に関する情報を、前記複数のテレビドアホン装置のうち対応するテレビドアホン装置に報知する報知処理部と、
を有し、
前記検索部は、前記屋外情報格納テーブルに含まれるレコードのうち前記タグ情報を有しないレコードにつき、該レコードに対応する映像を取得し、
前記第２動き検出部は、前記レコードに対応する映像に基づいて前記第２の人を抽出し、
前記報知処理部は、前記第２動き検出部によって抽出された前記第２の人を不審者と判断するとともに、前記特定人に関する情報として前記不審者に関する情報を前記地域内の前記テレビドアホン装置に報知することを特徴とする地域監視システム。
【請求項９】
請求項８に記載の地域監視システムにおいて、
前記情報管理サーバは、
前記地域内における前記不審者の位置を追跡する追跡処理部、
をさらに有することを特徴とする地域監視システム。
【請求項１０】
請求項７に記載の地域監視システムにおいて、
前記情報管理サーバは、
前記屋外情報格納テーブルを検索して、検索結果に基づいた屋外情報を取得可能な検索部と、
特定人に関する情報を、前記複数のテレビドアホン装置のうち対応するテレビドアホン装置に報知する報知部と、
を有し、
前記検索部は、前記屋外情報格納テーブルに含まれるレコードから特定のタグ情報を有するレコードを検索し、
前記報知処理部は、前記特定のタグ情報を有するレコードが抽出された場合に、前記特定人に関する情報として前記タグ情報の所有者に関する情報を、対応する前記テレビドアホン装置に報知することを特徴とする地域監視システム。
【請求項１１】
請求項１ないし請求項１０のいずれかに記載の地域監視システムにおいて、
前記テレビドアホン装置は、
(c-3)  前記家屋の前記道路側に設けられ、前記屋外情報を取得可能な監視カメラ、
をさらに有することを特徴とする地域監視システム。
【発明の詳細な説明】
【技術分野】
【０００１】
本発明は、複数のテレビドアホン装置が設置された地域を監視可能とする地域監視システムに関する。
【背景技術】
【０００２】
従来より、ドアホンと、該ドアホンとネットワークを介して接続された外部代理応答期間とによって構成されるセキュリティシステムが知られている（例えば、特許文献１）。特許文献１には、留守宅に来訪客があった場合に、外部代理応答機関の従業者が留守宅の委託者に変わって代理応答することができる技術が開示されている。
【０００３】
【特許文献１】特開２００２−０３３８３９号公報
【発明の開示】
【発明が解決しようとする課題】
【０００４】
しかし、特許文献１では、来訪者による呼出操作が行われた場合にのみドアホンの機能（例えば、撮像部による静止画像または動画の取得、または受音部による音声データの取得等）が実行され、呼出操作が行われない場合には、ドアホンの機能は実行されない。その結果、呼出操作が行われなければドアホンの機能を使用することができなかった。
【０００５】
そこで、本発明では、テレビドアホン装置の機能を有効に使用した地域監視システムを提供することを目的とする。
【課題を解決するための手段】
【０００６】
上記の課題を解決するため、請求項１の発明は、情報格納サーバと、ネットワークを介して前記情報格納サーバと接続された情報管理サーバと、各々が前記ネットワークを介して前記情報格納サーバおよび前記情報管理サーバと接続されており、家屋の道路側に設けられ、訪問者に関する情報を含めた前記家屋外の屋外情報を取得可能な玄関子機と、前記玄関子機との間でデータ通信可能とされており、前記玄関子機が取得した前記屋外情報を対応する位置情報とともに、前記情報格納サーバに送信可能な中継親機とを有する複数のテレビドアホン装置とを備え、前記情報格納サーバは、各テレビドアホン装置から送信された屋外情報を、送信元の前記テレビドアホン装置の前記位置情報と対応付けて追加格納可能な屋外情報格納テーブル、を記憶する記憶部、を有し、前記情報管理サーバは、前記屋外情報格納テーブルの屋外情報に基づいて、前記複数のテレビドアホン装置が設置された地域を監視可能なことを特徴とする。
【０００７】
また、請求項２の発明は、情報管理サーバと、各々がネットワークを介して前記情報管理サーバと接続されており、家屋の道路側に設けられ、訪問者に関する情報を含めた前記家屋外の屋外情報を取得可能な玄関子機と、前記玄関子機との間でデータ通信可能とされており、前記玄関子機が取得した前記屋外情報を対応する位置情報とともに、前記情報管理サーバに送信可能な中継親機とを有する複数のテレビドアホン装置とを備え、前記情報管理サーバは、各テレビドアホン装置から送信された屋外情報を送信元の前記テレビドアホン装置の前記位置情報と対応付けて追加格納可能な屋外情報格納テーブル、を記憶する記憶部、を有し、前記屋外情報格納テーブルの屋外情報に基づいて、前記複数のテレビドアホン装置が設置された地域を監視することを特徴とする。
【０００８】
また、請求項３の発明は、請求項１または請求項２に記載の地域監視システムにおいて、前記玄関子機は、前記道路側を撮像可能な撮像部、を有するとともに、前記撮像部によって撮像された映像を前記屋外情報として取得可能とされており、前記中継親機は、前記玄関子機にて撮像された所定長さの前記映像を所定の周期で送信可能とされていることを特徴とする。
【０００９】
また、請求項４の発明は、請求項１または請求項２に記載の地域監視システムにおいて、前記玄関子機は、前記道路側を撮像可能な撮像部、を有するとともに、前記撮像部によって撮像された映像を前記屋外情報として取得可能とされており、前記中継親機は、前記撮像部によって撮像された映像から第１の人の動きを検出する第１動き検出部、を有するとともに、前記第１の人の動きの検出をトリガとして、前記トリガに対応する前記映像を送信可能とされていることを特徴とする。
【００１０】
また、請求項５の発明は、請求項１または請求項２に記載の地域監視システムにおいて、前記玄関子機は、前記道路側を撮像可能な撮像部と、前記道路側の音声を受音する受音部とを有するとともに、前記撮像部によって撮像された映像と、前記受音部によって受音された音声データとを前記屋外情報として取得可能とされており、前記中継親機は、前記受音部によって受音された音声データから異常音を検出する異常音検出部、を有するとともに、前記異常音の検出をトリガとして、前記トリガに対応する前記映像を送信可能とされていることを特徴とする。
【００１１】
また、請求項６の発明は、請求項１または請求項２に記載の地域監視システムにおいて、前記玄関子機は、前記道路側を撮像可能な撮像部と、前記道路側を検知範囲とする人感センサとを有するとともに、前記撮像部によって撮像された映像と、前記人感センサによる検知結果とを前記屋外情報として取得可能とされており、前記中継親機は、前記人感センサの能動化をトリガとして、該トリガに対応する前記映像を取得するとともに、前記映像を送信可能とされていることを特徴とする。
【００１２】
また、請求項７の発明は、請求項１または請求項２に記載の地域監視システムにおいて、前記玄関子機は、前記道路側を撮像可能な撮像部と、タグ情報所有者のタグ情報送信部から送信されたタグ情報を受信可能なタグ情報受信部とを有するとともに、前記撮像部によって撮像された映像と前記タグ情報とを前記屋外情報として取得可能とされており、前記中継親機は、前記玄関子機が受信した前記タグ情報をトリガとして、前記トリガに対応する前記映像と前記タグ情報とを送信可能とされていることを特徴とする。
【００１３】
また、請求項８の発明は、請求項７に記載の地域監視システムにおいて、前記情報管理サーバは、前記屋外情報格納テーブルを検索して、検索結果に基づいた前記屋外情報を取得可能な検索部と、前記検索結果に基づき前記屋外情報として取得された映像に基づいて、第２の人を抽出する第２動き検出部と、特定人に関する情報を、前記複数のテレビドアホン装置のうち対応するテレビドアホン装置に報知する報知処理部と、を有し、前記検索部は、前記屋外情報格納テーブルに含まれるレコードのうち前記タグ情報を有しないレコードにつき、該レコードに対応する映像を取得し、前記第２動き検出部は、前記レコードに対応する映像に基づいて前記第２の人を抽出し、前記報知処理部は、前記第２動き検出部によって抽出された前記第２の人を不審者と判断するとともに、前記特定人に関する情報として前記不審者に関する情報を前記地域内の前記テレビドアホン装置に報知することを特徴とする。
【００１４】
また、請求項９の発明は、請求項８に記載の地域監視システムにおいて、前記情報管理サーバは、前記地域内における前記不審者の位置を追跡する追跡処理部、をさらに有することを特徴とする。
【００１５】
また、請求項１０の発明は、請求項７に記載の地域監視システムにおいて、前記情報管理サーバは、前記屋外情報格納テーブルを検索して、検索結果に基づいた屋外情報を取得可能な検索部と、特定人に関する情報を、前記複数のテレビドアホン装置のうち対応するテレビドアホン装置に報知する報知部とを有し、前記検索部は、前記屋外情報格納テーブルに含まれるレコードから特定のタグ情報を有するレコードを検索し、前記報知処理部は、前記特定のタグ情報を有するレコードが抽出された場合に、前記特定人に関する情報として前記タグ情報の所有者に関する情報を、対応する前記テレビドアホン装置に報知することを特徴とする。
【００１６】
また、請求項１１の発明は、請求項１ないし請求項１０のいずれかに記載の地域監視システムにおいて、前記テレビドアホン装置は、前記家屋の前記道路側に設けられ、前記屋外情報を取得可能な監視カメラ、をさらに有することを特徴とする。
【発明の効果】
【００１７】
請求項１ないし請求項１１に記載の発明によれば、テレビドアホン装置の玄関子機は道路側の屋外情報を取得することができる。また、テレビドアホン装置の中継親機は、玄関子機が取得した屋外情報を、ネットワーク上に設けられたサーバ（情報格納サーバ、または情報管理サーバ）に送信することができる。
【００１８】
これにより、これらサーバは、特別な監視装置を設けることなく、地域内の屋外情報を収集することができる。そのため、地域監視システム構築に要するコストを大幅に低減させることが可能となる。
【００１９】
特に、請求項３に記載の発明によれば、所定長さで撮像された映像が、所定周期でサーバ（情報格納サーバ、または情報管理サーバ）に送信される。そして、この映像が、屋外情報としてサーバの記憶部に記憶される。これにより、サーバの記憶部に記憶される屋外情報の情報量を低減させることができる。そのため、記憶部に必要とされる記憶容量を低減させることができ、サーバに要するコストを低減させることができる。また、送信された映像に基づき、玄関子機の撮像部の動作チェックを実行することができる。
【００２０】
特に、請求項４に記載の発明では、中継親機の第１動き検出部によって検出された異常状況をトリガとして、該トリガに対応する映像をサーバに送信することができる。
【００２１】
また、請求項５に記載の発明では、中継親機の異常音検出部によって検出された異常音をトリガとして、該トリガに対応する映像をサーバに送信することができる。
【００２２】
また、請求項６に記載の発明では、玄関子機に設けられた人感センサの能動化をトリガとして、該トリガに対応する映像をサーバに送信することができる。
【００２３】
さらに、請求項７に記載の発明では、玄関子機が受信したタグ情報をトリガとして、該トリガに対応する映像をサーバに送信することができる。
【００２４】
これにより、請求項４ないし請求項７に記載したサーバの記憶部には、地域内の監視に必要となる屋外情報（例えば、映像やタグ情報）のみが記憶される。そのため、サーバの記憶部に要する記憶容量をさらに低減させることができる。
【００２５】
特に、請求項８に記載の発明によれば、第２動き検出部によって検出された第２の人であってタグ情報を有しない者を不審者と判断し、この不審者に関する情報を地域内のテレビドアホン装置に報知することができる。そのため、地域内の防犯性を向上させることができる。
【００２６】
特に、請求項９に記載の発明によれば、追跡処理部によって地域内における不審者の位置を追跡することができる。これにより、サーバは、不審者に関する情報として不審者の位置情報も各テレビドアホン装置に報知することができる。そのため、各テレビドアホン装置が設定された家屋の住人（テレビドアホン装置の使用者）は、この位置情報に基づいた的確な行動を選択することができる。
【００２７】
特に、請求項１０に記載の発明によれば、特定のタグ情報所有者に関する情報を対応するテレビドアホン装置に報知することができる。そのため、該対応するテレビドアホン装置の使用者は、地域内におけるタグ情報所有者の状況を、サーバの記憶部に記憶された屋外情報、例えば、映像によって把握することが可能となる。
【００２８】
特に、請求項１１に記載の発明によれば、玄関子機だけでなく監視カメラによっても屋外情報を取得することができる。そのため、地域監視システムのセキュリティ機能をさらに向上させることができる。
【発明を実施するための最良の形態】
【００２９】
以下、図面を参照しつつ本発明の実施の形態について詳細に説明する。
【００３０】
＜１．地域監視システムの構成＞
図１は、本実施の形態における地域監視システム８００の全体構成の一例を示す図である。ここで、地域監視システム８００は、複数のテレビドアホン装置１が設置された地域内において、各テレビドアホン装置１を使用して構築される防犯システムである。図１に示すように、地域監視システム８００は、主として、情報格納サーバ１００と、ネットワーク５００を介して情報格納サーバ１００と接続された情報管理サーバ２００と、各々がネットワーク５００を介して情報格納サーバ１００および情報管理サーバ２００と接続された複数のテレビドアホン装置１（１ａ、１ｂ）と、を備えている。
【００３１】
そこで、以下では、本システムの構成要素であるテレビドアホン装置１、情報格納サーバ１００、および情報管理サーバ２００について説明する。なお、紙面の都合上、図１および後述する図１６には、２つのテレビドアホン装置１（１ａ、１ｂ）のみ記載しているが、テレビドアホン装置１の使用数は、３つ以上であってもよい。
【００３２】
＜２．テレビドアホン装置の構成＞
図２は、テレビドアホン装置１の全体構成の一例を示す図である。テレビドアホン装置１は、家屋３に設けられており、訪問者の呼出操作に応じて、家屋３の室内４から屋外にいる訪問者への応対を可能とする（ドアホンモード）。また、テレビドアホン装置１は、訪問者の呼出操作がなされない場合において、屋外を監視する機能も有している（見守りモード）。図２に示すように、テレビドアホン装置１は、主として、玄関子機４０と、監視カメラ６０と、中継親機１０と、ハンディ子機８０と、を有している。
【００３３】
図３は、玄関子機４０のハードウェア構成の一例を示す図である。玄関子機４０は、家屋３の道路５側に設けられており、例えば、家屋３内から道路５への出入り口となる門扉６横の門柱７や、家屋３の周囲を囲繞する塀８に設置されている（図２参照）。
【００３４】
また、玄関子機４０は、中継親機１０からの制御に従って、訪問者に関する情報（例えば、訪問者の映像、訪問者の声等）を含めた道路５外の屋外情報を取得可能とされている。図３に示すように、玄関子機４０は、主として、撮像部４１と、受音部４２と、人感センサ４５と、タグ情報受信部４６と、を有している。
【００３５】
撮像部４１は、いわゆるカメラであり、道路５側の映像を撮像可能とされている。ここで、撮像部４１は道路５側の広い範囲の映像を取得できるように、撮像部４１のレンズ（図示書略）には、広角レンズが使用されている。また、受音部４２は、いわゆるマイクロフォンであり、道路５側の音声を受音する。
【００３６】
例えば、訪問者が玄関子機４０の呼出ボタン４８を押した場合、撮像部４１で撮像された訪問者の映像はハンディ子機８０の表示部８７（図８参照）に表示される。また、呼出ボタン４８が押された場合、受音部４２で受音された訪問者の声は、ハンディ子機８０のスピーカ９２（図８参照）から出力される。一方、訪問者に対して応対した家屋３の住人（テレビドアホン装置１の使用者：以下、単に、「使用者」とも呼ぶ）の声は、スピーカ５１から出力される。
【００３７】
なお、本実施の形態において、映像には、静止画像、および複数の静止画像に基づいた動画（例えば、ＭＰＥＧ（Moving Picture Experts Group）方式の動画：ＭＰＥＧ−１、およびＭＰＥＧ−２等）が含まれる。
【００３８】
図４は、本実施の形態で使用するＭＰＥＧ方式の映像を説明するための図である。ＭＰＥＧ方式による映像は、ＧＯＰ（Group of Picture）９８を単位として符号化される。図４に示すように、ＧＯＰ９８は、主として、Ｉピクチャ９５（９５ａ、９５ｂ）と、Ｐピクチャ９６（９６ａ、９６ｂ）と、Ｂピクチャ９７（９７ａ〜９７ｃ）と、によって構成されている。なお、本実施の形態において、各ピクチャ９５〜９７は、所定間隔（例えば、３３ｍｓ間隔）で配置されている。
【００３９】
Ｉピクチャ９５は、単独で再生可能はフレーム（１画面分の静止画像）であり、撮像部４１や撮像部７１によって撮像された画像がそのまま符号化される。すなわち、Ｉピクチャ９５は、前後のフレームとは関係なく、そのフレーム内だけで独立して符号化される。
【００４０】
また、Ｐピクチャ９６は、Ｉピクチャ９５またはＰピクチャ９６を予想画像とし、前方向予測符号化によって得られるフレームである。例えば、Ｐピクチャ９６ａに対応する静止画像は、Ｉピクチャ９５ａと、差分データおよびベクトルデータと、によって再生される。また、Ｐピクチャ９６ｂに対応する静止画像は、Ｐピクチャ９６ａと、差分データおよびベクトルデータと、によって再生される。
【００４１】
さらに、Ｂピクチャ９７は、前後のＩピクチャ９５またはＰピクチャ９６を予測画像として符号化されるフレームである。すなわち、Ｂピクチャ９７は、過去および未来の双方向からの予測符号化される。例えば、Ｂピクチャ９７ａは、Ｉピクチャ９５ａと、Ｐピクチャ９６ａと、差分データおよびベクトルデータと、によって再生される。また、Ｂピクチャ９７ｃは、Ｐピクチャ９６ａと、Ｐピクチャ９６ｂと、差分データおよびベクトルデータと、によって再生される。
【００４２】
したがって、ＭＰＥＧ方式の映像からは、必要に応じて、Ｉピクチャ９５、Ｐピクチャ９６、およびＢピクチャ９７に基づいた静止画像が取り出される。また、各ピクチャ９５〜９７のフレーム間隔、画質、および圧縮レートが調整されることにより、映像のデータ量が調整される。
【００４３】
人感センサ４５は、人から放射される熱線の量の変化によって、検知範囲での人の動きを検知するセンサである。本実施の形態の人感センサ４５は、家屋３付近にいる人９がいるときに能動化し（例えば、ノーマルオープンの場合、オン状態となり）、人９を検知する。ここで、上述のように、玄関子機４０は道路５側に設置されており、人感センサ４５は道路５側を検知範囲とする。
【００４４】
タグ情報受信部４６は、タグ情報送信部９ａ（図１参照）から送信されたタグ情報を受信可能とされている。ここで、本実施の形態のタグ情報送信部９ａに格納されているタグ情報は、各送信部９ａで重複しないものとされている。したがって、タグ情報受信部４６によって受信されたタグ情報を判定することにより、タグ情報送信部９ａの所有者（タグ情報所有者）を一意に識別することが可能となる。
【００４５】
中継親機間通信部５５は、２線の信号線４０ａを介して中継親機１０と電気的に接続されており、中継親機１０との間でデータ通信を実行する。例えば、撮像部４１、受音部４２、人感センサ４５、およびタグ情報受信部４６によって取得された映像、音声データ、人感センサ４５の能動化信号、およびタグ情報は、中継親機間通信部５５および信号線４０ａを介して中継親機１０に送信される。
【００４６】
図５は、監視カメラ６０のハードウェア構成の一例を示す図である。監視カメラ６０は、玄関子機４０と同様に、道路５側に設けられており、屋外情報を取得可能とされている。図５に示すように、監視カメラ６０は、主として、撮像部７１と、受音部７２と、人感センサ７５と、タグ情報受信部７６と、無線通信部６６と、を有している。
【００４７】
ここで、監視カメラ６０の撮像部７１、受音部７２、人感センサ７５、およびタグ情報受信部７６は、それぞれ玄関子機４０の撮像部４１、受音部４２、人感センサ４５、およびタグ情報受信部４６と同様の機能を実現する。
【００４８】
また、本実施の形態において、屋外情報とは、玄関子機４０および監視カメラ６０で取得される映像、音声データ、人感センサ４５の能動化信号、およびタグ情報を言うものとする。
【００４９】
無線通信部６６は、無線信号１７を介して中継親機１０との間で無線通信を実行する。なお、本実施の形態では、中継親機１０との間の無線通信規格としてＩＥＥＥ８０２．１１ｇを採用しているが、可能ならば他の無線通信の規格を採用してもよい。
【００５０】
ＲＡＭ６２は、読み書き自在の揮発性メモリ（記憶部）である。例えば、ＲＡＭ６２は、撮像部７１で撮像された映像を格納することができる。
【００５１】
ＲＯＭ６３は、読出し専用メモリであり、ＣＰＵ６１は、ＲＯＭ６３に格納されたプログラム６３ａに従った制御を実行する。また、ＣＰＵ６１は、撮像部７１、受音部７２、人感センサ７５、タグ情報受信部７６、および無線通信部６６等と、信号線６９を介して電気的に接続される。したがって、ＣＰＵ６１は、撮像部７１による撮像処理や受音部７２による受音処理等を所定のタイミングで実行することができる。
【００５２】
図６は、中継親機１０のハードウェア構成の一例を示す図である。中継親機１０は、（１）屋外情報を取得する機能と、（２）玄関子機４０、監視カメラ６０、およびハンディ子機８０を流れるＬＡＮ（Local Area Network）側のデータをネットワーク５００（ＷＡＮ（Wide Area Network）側）に中継するルータ機能と、を有している。図６に示すように、中継親機１０は、主として、通信制御部１５と、動き検出部２１と、異常音検出部２２と、を有している。
【００５３】
通信制御部１５は、中継親機１０のルータ機能を実現する。すなわち、通信制御部１５は、子機間通信部１６ａと玄関子機４０との間で、無線通信部１６ｂと監視カメラ６０およびハンディ子機８０との間で、ネットワーク間通信部１６ｃとネットワーク５００側との間で、それぞれ実行されるデータ通信を制御する。また、通信制御部１５は、玄関子機４０および監視カメラ６０が取得した屋外情報を中継して、情報格納サーバ１００（図１および図９参照）に送信する。
【００５４】
操作部１８は、ボタン等を有する入力部である。使用者は、この操作部１８を操作することによって、中継親機１０に所定の処理（例えば、中継親機１０のリセット処理等）を実行させることができる。
【００５５】
格納処理部１４は、玄関子機４０および監視カメラ６０から送信される屋外情報をＲＡＭ１２に格納する。ＲＡＭ１２は、読み書き自在の揮発性メモリ（記憶部）である。図６に示すように、ＲＡＭ１２は、主として、映像格納部１２ａと、高画質静止画像格納部１２ｂと、音声データ格納部１２ｃと、を有している。また、ＲＡＭ１２には、撮像部識別テーブル１２ｄが記憶可能とされている。
【００５６】
ここで、本実施の形態において、映像格納部１２ａには、撮像部４１、７１で撮像された圧縮映像（例えば、ＭＰＥＧ方式による映像）が格納される。また、高画質静止画像格納部１２ｂには、撮像部４１、７１で撮像され、圧縮映像より高解像度および高画質な静止画像（例えば、ＪＰＥＧ方式による静止画像）が格納される。また、音声データ格納部１２ｃには、受音部４２、７２で受音された音声データが格納される。
【００５７】
さらに、撮像部識別テーブル１２ｄには、テレビドアホン装置１の撮像部４１、７１に関する情報が登録されている。図７は、撮像部識別テーブル１２ｄのデータ構成の一例を示す図である。図７に示すように、撮像部識別テーブル１２ｄは、主として、「撮像部ＩＤ」、「名称」、「位置情報（緯度）」、および「位置情報（経度）」の各フィールド（列）を有している。
【００５８】
「撮像部ＩＤ」には、撮像部識別テーブル１２ｄに登録された各レコード（各行）を一意に識別するための数値データが格納されている。また、「名称」には、使用者が各撮像部４１、７１を容易に識別するための文字列が格納されている。例えば、撮像部４１に対応するレコード（「撮像部ＩＤ」＝「１００５０１００」）には、「玄関子機４０」が格納されている。
【００５９】
さらに、「位置情報（緯度）」および「位置情報（経度）」には、各撮像部４１、７１の位置情報が数値データ（緯度値および経度値）として格納されている。なお、玄関子機４０と監視カメラ６０とは、ほぼ同一の位置に配置されているため、これらの撮像部４１、７１に対応するレコードの位置情報には同一の値が格納されている（図７参照）。
【００６０】
したがって、中継親機１０は、屋外情報を対応する位置情報とともに、情報格納サーバ１００に送信することができる。例えば、玄関子機４０の撮像部４１により映像が撮像された場合、この映像とともに、「撮像部ＩＤ」＝「１００５０１００」となるレコードの位置情報（経度、緯度）が情報格納サーバ１００に送信される。
【００６１】
動き検出部２１（第１動き検出部）は、モーションディテク機能により、撮像部４１、７１によって撮像された映像から人（第１の人）を動きを検出する。また、動き検出部２１は、この人の動きに基づいた異常状況も検出可能とされている。例えば、動き検出部２１は、異常状況として、人が倒れるときの動き、および人が暴れているときの動き等を検出する。
【００６２】
異常音検出部２２は、受音部４２、７２によって受音された音声データから異常音を検出する。例えば、異常音検出部２２は、所定の音量以上の音、悲鳴音、破壊音、および衝撃音等を異常音として検出する。
【００６３】
ＲＯＭ１３は、読出し専用メモリであり、ＣＰＵ１１は、ＲＯＭ１３に格納されたプログラム１３ａに従った制御を実行する。また、ＣＰＵ１１は、図６に示すように、通信制御部１５、動き検出部２１、および異常音検出部２２等と、信号線１９を介して電気的に接続されている。したがって、ＣＰＵ１１は、屋外情報の送信処理等を所定のタイミングで実行することができる。
【００６４】
なお、以上の説明において、動き検出部２１および異常音検出部２２は、ハードウェア（回路）によって構成されているものとして説明したが、これに限定されるものでない。例えば、ＲＯＭ１３に格納されたプログラム１３ａによって、動き検出部２１および異常音検出部２２による検出機能をＣＰＵ１１に実現させてもよい。
【００６５】
図８は、ハンディ子機８０のハードウェア構成の一例を示す図である。ハンディ子機８０は、使用者が訪問者に対して応対する場合や、屋外の状況をモニタリングする場合に使用される。図８に示すように、ハンディ子機８０は、主として、無線通信部８６と、表示部８７と、操作部８８と、受音部９１と、スピーカ９２と、を有している。
【００６６】
表示部８７は、いわゆる液晶ディスプレイによって構成されており、例えば、撮像部４１、７１によって撮像された屋外の映像や、情報管理サーバ２００から報知された情報（例えば、地域内に不審者が侵入したことを報知する情報）が表示される。
【００６７】
操作部８８は、ボタン８８ａやキーパッド８８ｂ（図２参照）を有する入力部である。使用者は、表示部８７の表示内容に基づいた入力作業を実行することにより、訪問者への応対や屋外のモニタリング等の所定の動作をテレビドアホン装置１に対して実行させることができる。
【００６８】
受音部９１は、いわゆるマイクロフォンであり、例えば、使用者が訪問者に対して声で応対する場合に使用される。なお、屋外の音声（例えば、訪問者の声等）は、スピーカ９２から出力される。
【００６９】
ＲＡＭ８２は、読み書き自在の揮発性メモリ（記憶部）である。また、ＲＯＭ８３は、読出し専用メモリであり、ＣＰＵ８１は、ＲＯＭ８３に格納されたプログラム８３ａに従った制御を実行する。さらに、ＣＰＵ８１は、表示部８７、および無線通信部８６等と、信号線８９を介して電気的に接続される。したがって、ＣＰＵ８１は、表示部８７による表示処理やデータの通信処理等を所定のタイミングで実行することができる。
【００７０】
＜３．情報格納サーバのハードウェア構成＞
図９は、情報格納サーバ１００のハードウェア構成の一例を示す図である。情報格納サーバ１００は、各テレビドアホン装置１から送信された屋外情報（主として、映像）を、蓄積するデータサーバであり、いわゆるパーソナルコンピュータやワークステーションによって構成されている。図９に示すように、情報格納サーバ１００は、主として、通信部１２５と、格納処理部１４１と、ＲＡＭ１１２と、大容量記憶部１１６と、を有している。
【００７１】
通信部１２５は、いわゆるネットワークカードであり、情報格納サーバ１００とネットワーク５００側との間でデータ通信を実行する。
【００７２】
表示部１３１は、液晶ディスプレイやＣＲＴ（Cathode Ray Tube）ディスプレイによって構成されている。操作部１３２は、いわゆるマウスやキーボードによって構成された入力部である。したがって、情報格納サーバ１００のオペレータは、表示部１３１の表示内容に基づいた入力作業を実行することにより、情報格納サーバ１００に所定の動作を実行させることができる。
【００７３】
格納処理部１４１は、各テレビドアホン装置１から送信された屋外情報を、ＲＡＭ１１２または大容量記憶部１１６に格納する。ＲＡＭ１１２は、読み書き自在の揮発性メモリ（記憶部）である。大容量記憶部１１６は、シリコンディスクドライブやハードディスクドライブ等のように、ＲＡＭ１１２と比較して記憶容量の大きな素子によって構成された記憶部である。大容量記憶部１１６は、必要に応じてＲＡＭ１１２との間でデータの授受を行う。
【００７４】
図９に示すように、ＲＡＭ１１２は、地域情報格納部１１２ｃを、大容量記憶部１１６は、映像格納部１１６ａと高画質静止画像格納部１１６ｂとを、それぞれ有している。また。ＲＡＭ１１２には、映像情報格納テーブル１１２ａと、通知先情報格納テーブル１１２ｂと、が記憶可能とされている。
【００７５】
ここで、地域情報格納部１１２ｃには、地域範囲を示す位置情報（緯度範囲、および経度範囲）と、地域範囲を示す地図画像と、が格納されている。また、映像格納部１１６ａには、各テレビドアホン装置１から送信された映像が格納されている。また、高画質静止画像格納部１１６ｂには、情報管理サーバ２００からの要求に応じて各家庭のテレビドアホン装置１で撮像された高画質静止画像が格納される。
【００７６】
また、映像情報格納テーブル１１２ａ（屋外情報格納テーブル）には、各テレビドアホン装置１から送信された屋外情報が、送信元のテレビドアホン装置１の位置情報と対応付けられて追加格納される。図１０は、映像情報格納テーブル１１２ａのデータ構成の一例を示す図である。図１０に示すように、映像情報格納テーブル１１２ａは、主として、「映像ＩＤ」、「撮像日時」、「位置情報（緯度）」、「位置情報（経度）」、「タグ情報」、および「映像格納場所」の各フィールドを有している。
【００７７】
「映像ＩＤ」には、映像情報格納テーブル１１２ａに登録された各レコードを一意に識別するための数値データが格納されている。「撮像日時」には、各テレビドアホン装置１から送信された映像の撮影日時が数値データとして格納されている。「位置情報（緯度）」および「位置情報（経度）」には、映像を撮影した撮像部（例えば、撮像部４１、７１）の位置情報が数値データとして格納されている。
【００７８】
「タグ情報」には、各テレビドアホン装置１から屋外情報として映像とともにタグ情報が送信された場合に、そのタグ情報が格納される。「映像格納場所」には、映像が格納されているフォルダを示す文字列が格納されている。すなわち、各映像は、大容量記憶部１１６の映像格納部１１６ａにおいて、「映像格納場所」で指定されるフォルダ内に格納される。
【００７９】
また、通知先情報格納テーブル１１２ｂには、所定のタグ情報が映像情報格納テーブル１１２ａに格納された場合において、その旨を通知する宛先（通知先情報）が格納されている。図１１は、通知先情報格納テーブル１１２ｂのデータ構成の一例を示す図である。図１１に示すように、通知先情報格納テーブル１１２ｂは、主として、「通知先ＩＤ」、「タグ情報」、および「通知先情報」の各フィールドを有している。
【００８０】
「通知先ＩＤ」には、通知先情報格納テーブル１１２ｂに登録された各レコードを一意に識別するための数値データが格納されている。また、「タグ情報」には、報知処理を希望するタグ情報が数値データとして格納されている。また、「通知先情報」には、通知先を示す情報（例えば、通知先となる中継親機１０のＩＰアドレスや、中継親機１０のメールアドレス等）が格納されている。
【００８１】
なお、通知先情報格納テーブル１１２ｂに追加格納されるタグ情報および通知先情報
は、ハンディ子機８０によって指定されてもよいし、ネットワーク５００に接続可能な携帯電話やパーソナルコンピュータによって指定されていもよい。また、通知先としては、中継親機１０だけでなく、ネットワーク５００に接続された携帯電話やパーソナルコンピュータであってもよい。
【００８２】
ＲＯＭ１１３は、読出し専用メモリであり、ＣＰＵ１１１は、ＲＯＭ１１３に格納されたプログラム１１３ａに従った制御を実行する。また、ＣＰＵ１１１は、図９に示すように、通信部１２５、格納処理部１４１、ＲＡＭ１１２、および大容量記憶部１１６等と、信号線１１９を介して電気的に接続されている。したがって、ＣＰＵ１１１は、屋外情報の格納処理等を所定のタイミングで実行することができる。
【００８３】
＜４．情報管理サーバのハードウェア構成＞
図１４は、情報管理サーバ２００のハードウェア構成の一例を示す図である。情報管理サーバ２００は、映像情報格納テーブル１１２ａの屋外情報に基づいて、複数のテレビドアホン装置１が設置された地域を監視する監視サーバである。情報管理サーバ２００は、情報格納サーバ１００と同様に、いわゆるパーソナルコンピュータやワークステーションによって構成されている。図１４に示すように、情報管理サーバ２００は、主として、通信部２２５と、検索部２４２と、動き検出部２５１と、追跡処理部２５２と、報知処理部２５３と、を有している。
【００８４】
通信部２２５は、通信部１２５と同様に、いわゆるネットワークカードであり、情報管理サーバ２００とネットワーク５００側との間でデータ通信を実行する。
【００８５】
表示部２３１は、表示部１３１と同様に、液晶ディスプレイやＣＲＴディスプレイによって構成されている。操作部２３２は、操作部１３２と同様に、いわゆるマウスやキーボードによって構成された入力部である。したがって、情報管理サーバ２００のオペレータは、表示部２３１の表示内容に基づいた入力作業を実行することにより、情報管理サーバ２００に所定の動作を実行させることができる。
【００８６】
検索部２４２は、情報格納サーバ１００内の映像情報格納テーブル１１２ａを検索して、検索結果に基づいた屋外情報を取得する。例えば、検索部２４２は、「タグ情報」フィールを検索キーとして映像情報格納テーブル１１２ａを検索する。これにより、検索部２４２は、「タグ情報」が所定値となるレコードを映像情報格納テーブル１１２ａから抽出することができる。そして、検索部２４２は、抽出されたレコードの「映像格納場所」に基づいて、「タグ情報」に対応する映像を取得することができる。
【００８７】
動き検出部２５１（第２動き検出部）は、検索部２４２によって取得された映像から人の動きを検出するとともに、この映像に画像認識処理を施すことにより、特定人（第２の人）を抽出する。また、追跡処理部２５２は、動き検出部２５１により抽出された特定人について、地域内における位置を追跡する。
【００８８】
なお、動き検出部２５１による人物特定は、以上の手法に限定されない。例えば、映像から人の動きが検出された場合において、動き検出部２５１は、この映像に基づいて特定される送信元のテレビドアホン装置１に対して、高画質静止画像を撮像させる。撮像された高画質静止画像は、テレビドアホン装置１から情報格納サーバ１００に送信され、情報格納サーバ１００の高画質静止画像格納部１１６ｂに格納される。そして、動き検出部２５１は、高画質静止画像格納部１１６ｂに格納された高画質静止画像を使用することにより、画像認識処理を実行して人物特定を行う。
【００８９】
このように、動き検出部２５１は、屋外情報として取得された映像に基づいて、特定人（第２の人）を抽出する。
【００９０】
報知処理部２５３は、特定人に関する情報を、複数のテレビドアホン装置１のうち対応するテレビドアホン装置１に報知する。例えば、使用者が、予め自分の子供のタグ情報と、通知先として自宅の中継親機１０と、を通知先情報格納テーブル１１２ｂに登録している場合、報知処理部２５３は、自分の子供に関する情報を特定人に関する情報として、この使用者の中継親機１０に報知する。
【００９１】
ＲＡＭ２１２は、読み書き自在の揮発性メモリ（記憶部）であり、ＲＯＭ２１３は、読出し専用メモリである。また、ＲＯＭ２１３は、ＲＯＭ１１３に格納されたプログラム２１３ａに従った制御を実行する。また、ＣＰＵ２１１は、図１４に示すように、通信部２２５、検索部２４２、動き検出部２５１、追跡処理部２５２、および報知処理部２５３等と、信号線２１９を介して電気的に接続されている。したがって、ＣＰＵ２１１は、検索部２４２による検索処理等を所定のタイミングで実行することができる。
【００９２】
＜５．映像の送信手法＞
ここでは、中継親機１０から情報格納サーバ１００に映像（屋外情報）を送信する手法について説明する。
【００９３】
第１の手法では、動き検出部２１によって人（第１の人）の動きが検出された場合に、この人の動きの検出が映像取込トリガとされ、このトリガに対応する映像が情報格納サーバ１００に送信される。
【００９４】
また、第２の手法では、異常音検出部２２によって検出された異常音が映像取込トリガとされ、このトリガに対応する映像が情報格納サーバ１００に送信される。
【００９５】
また、第３の手法では、人感センサ４５、７５がオン状態に遷移する（すなわち、人感センサ４５、７５が能動化する）タイミングが映像取込トリガとされ、このトリガに対応する映像が情報格納サーバ１００に送信される。
【００９６】
さらに、第４の手法では、タグ情報受信部４６、７６がタグ情報を受信したタイミングが映像取込トリガとされ、このトリガに対応する映像とタグ情報とが情報格納サーバ１００に送信される。
【００９７】
これにより、第１ないし第４の手法において、情報格納サーバ１００のＲＡＭ１１２および大容量記憶部１１６には、地域内の監視に必要となる屋外情報（映像およびタグ情報等）のみが記憶される。そのため、情報格納サーバ１００のＲＡＭ１１２および大容量記憶部１１６に要する記憶容量をさらに低減させることができる。その結果、情報格納サーバ１００のコストをさらに低減させることができる。例えば、情報格納サーバ１００として、インターネットサービスプロバイダが提供するレンタルデータサーバを使用する場合、レンタル料を低減させることができる。
【００９８】
図１２および図１３は、それぞれ映像取込トリガに基づいた映像取得手順の一例を説明するためのフローチャートおよびタイミングチャートである。第１ないし第４の手法では、映像取込トリガが発生すると（Ｓ１０１）、このトリガの発生時刻が変数ｔａに格納されるとともに（Ｓ１０２）、映像の取り込みが開始される（Ｓ１０３）。そして、この映像取込は、少なくとも、変数ｔａに格納された時刻から所定時間Ｔが経過するまで実行される（Ｓ１０４）。
【００９９】
例えば、図１３に示すように、時刻ｔ１に映像取込トリガｔｒ１が発生すると、変数ｔａには時刻ｔ１が格納される。そして、映像取込は、少なくとも時刻ｔ１から所定時間Ｔが経過する時刻ｔ３まで続けられる。
【０１００】
続いて、時刻ｔ３において、ステップＳ１０５に規定される処理が実行される。すなわち、時刻ｔ１から時刻ｔ３までのトリガ監視期間Ｐ１内に、新たな映像取込トリガが発生したか否かを判断する処理が実行される。
【０１０１】
そして、トリガ監視機関Ｐ１内に新たな映像取込トリガが発生したと判断される場合、変数ｔａには、直近の新たな映像取込トリガの発生時刻が格納され（Ｓ１０６）、ステップＳ１０４に戻ることにより、映像の取り込みが続行される。一方、トリガ監視機関Ｐ１内に新たな映像取込トリガが発生していないと判断される場合、映像の取り込みが終了する（Ｓ１０７）。
【０１０２】
例えば、トリガ監視期間Ｐ１（図１３参照）内に新たな映像取込トリガが発生したと判断される場合、変数ｔａには、直近の新たなトリガｔｒ２の発生時刻ｔ２が格納される（Ｓ１０６）。続いて、ステップＳ１０４に戻って、変数ｔａに格納された時刻ｔ２から所定時間Ｔ経過する時刻ｔ４まで、映像の取り込みが続行される。そして、ステップＳ１０５において、トリガ監視期間Ｐ２（図１３参照）に新たな映像取込トリガが発生していないと判断されるため、時刻ｔ４において映像の取り込みが終了する（Ｓ１０７）。これにより、時刻ｔ１から時刻ｔ４までの取込期間ＰＭ（図１３参照）において、映像が取り込まれる。
【０１０３】
第５の手法では、中継親機１０は、玄関子機４０、および／または、監視カメラ６０によって撮像された所定長さ（撮像時間：例えば、２０秒間）の映像が、所定の周期（撮像間隔：例えば、１時間毎）で情報格納サーバ１００に送信される。ここで、第５の手法による撮像時間および撮像間隔は、上述の例示に限定されず、任意に定めることができる。
【０１０４】
これにより、大容量記憶部１１６に必要とされる記憶容量を低減させることができる。また、送信された映像に基づき、各撮像部４１、７１の動作チェックを実行することができる。さらに、上述の第１ないし第４の手法によっては取り込むことのできない映像についても、情報格納サーバ１００に送信することができる。
【０１０５】
なお、中継親機１０の格納処理部１４は、玄関子機４０および監視カメラ６０で撮像された映像を映像格納部１２ａを順次格納する。また、映像格納部１２ａに格納された映像のデータ量が映像格納部１２ａの容量以上となった場合、格納処理部１４は、最先に格納された映像を消去しつつ新たな映像を映像格納部１２ａに格納する。また、格納処理部１４は、高画質静止画像格納部１２ｂおよび音声データ格納部１２ｃについても、同様の手順による動画および音声データを順次格納する。
【０１０６】
また、第１ないし第４手法において、トリガに対応する映像は、トリガ前（直前）から取り込みを開始してもよいし、トリガ後（直後）に取り込みを開始してもよい。この場合において、トリガ直前の映像としては、トリガ発生前に予め映像格納部１２ａに格納された映像が使用される。
【０１０７】
＜６．情報管理サーバによ地域内の防犯処理および監視処理＞
ここでは、情報管理サーバ２００による地域内の防犯処理および監視処理について、地域内に不審者が侵入した場合の防犯処理と、特定のタグ情報所有者の監視処理と、を例に取って説明する。
【０１０８】
なお、図１５に示すように、地域内にテレビドアホン装置１（１ａ〜１ｃ）が設置されている場合、地域内を移動する人９の映像は、各テレビドアホン装置１によって撮像される。そして、撮像された映像を含む屋外情報は、情報格納サーバ１００に送信され、映像情報格納テーブル１１２ａおよび大容量記憶部１１６に追加格納される。
【０１０９】
まず、不審者が侵入した場合の防犯処理について説明する。情報管理サーバ２００の検索部２４２は、例えば、所定時間毎に情報格納サーバ１００内の映像情報格納テーブル１１２ａを検索し、タグ情報を有しないレコードが追加格納されたか否かを監視する。
【０１１０】
タグ情報を有しないレコードが抽出された場合、検索部２４２は、各レコードに対応する映像を取得する。そして、動き検出部２５１（第２動き検出部）は、この映像に基づいて、人物（第２の人）を抽出する。
【０１１１】
この場合、報知処理部２５３は、動き検出部２５１によって抽出された人物を不審者と判断する。そして、報知処理部２５３は、この不審者に関する情報を特定人に関する情報として、地域内の各テレビドアホン装置１に報知する。したがって、報知情報を受信した各テレビドアホン装置１の使用者は、不審者に対する対応を取ることが可能となる。そのため、地域内の防犯性を向上させることができる。
【０１１２】
また、不審者が地域内に侵入した場合、追跡処理部２５２は、地域内における不審者の位置を追跡し、その位置情報を各テレビドアホン装置１に報知する。そのため、各テレビドアホン装置１の使用者は、この位置情報に基づいた的確な行動を選択することが可能となる。
【０１１３】
続いて、特定のタグ情報所有者の監視処理について説明する。情報管理サーバ２００の検索部２４２は、例えば所定時間毎に、情報格納サーバ１００内の映像情報格納テーブル１１２ａを検索し、特定のタグ情報（例えば、通知先情報格納テーブル１１２ｂに含まれる「タグ情報」）を有するレコードが追加されたか否かを監視する。すなわち、検索部２４２は、映像情報格納テーブル１１２ａに含まれるレコードから特定のタグ情報を有するレコードを検索する。
【０１１４】
映像情報格納テーブル１１２ａに含まれるレコードから特定のタグ情報が抽出された場合、報知処理部２５３は、特定のタグ情報を所有する者の屋外情報が映像情報格納テーブル１１２ａに格納されたものと判断する。そして、報知処理部２５３は、特定人に関する情報としてタグ情報所有者に関する情報（例えば、タグ情報所有者が地域内で検出された旨、タグ情報所有者の位置情報、静止画像の撮像日時、および情報格納サーバ１００における静止画像の格納場所等）を通知先情報に通知する。
【０１１５】
そのため、例えば通知先とされたテレビドアホン装置１の使用者は、地域内におけるタグ情報所有者（例えば、使用者の子供）の状況を、情報格納サーバ１００の記憶部（ＲＡＭ１１２または大容量記憶部１１６）に記憶された屋外情報把握することが可能となる。
【０１１６】
＜７．本発明の実施の形態における地域監視システムの利点＞
本実施の形態の地域監視システム８００では、テレビドアホン装置１の玄関子機４０は道路５側の屋外情報を取得することができる。また、テレビドアホン装置１の中継親機１０は、玄関子機４０が取得した屋外情報を、ネットワーク上に設けられた情報格納サーバ１００に送信することができる。
【０１１７】
これにより、情報格納サーバ１００は、特別な監視装置を設けることなく、地域内の屋外情報を収集することができる。そのため、地域監視システム８００を構築するために必要となるコストを大幅に低減させることが可能となる。
【０１１８】
＜８．変形例＞
以上、本発明の実施の形態について説明してきたが、本発明は上記実施の形態に限定されるものではなく様々な変形が可能である。
【０１１９】
（１）本実施の形態において、テレビドアホン装置１は、玄関子機４０と監視カメラ６０とを有し、それぞれの撮像部４１、７１によって映像を取得するものとして説明したが、これに限定されるものでない。
【０１２０】
例えば、玄関子機４０の撮像部４１のみによって（すなわち、１つの撮像部によって）、映像を取得してもよい。また、テレビドアホン装置１に、複数の玄関子機４０と、複数の撮像部４１とが設けられ、３つ以上の撮像部によって映像を取得してもよい。
【０１２１】
（２）また、本実施の形態において、中継親機１０は、動き検出部２１によって人（第１の人）の動きが検出された場合に、この人の動きの検出をトリガとし、このトリガに対応する映像を情報格納サーバ１００に送信するものとして説明したが、これに限定されるものでない。例えば、中継親機１０は、動き検出部２１によって異常状況が検出された場合に、この異常状況をトリガとし、このトリガに対応する静止画像を情報格納サーバ１００に送信してもよい。
【０１２２】
（３）また、本実施の形態において、地域監視システム８００は、情報格納サーバ１００と情報管理サーバ２００を有するものとして説明したが、各サーバの構成はこれに限定されるものでない。
【０１２３】
図１６は、本実施の形態の他の例である地域監視システム９００の全体構成を示す図である。図１７は、図１６の地域監視システム９００における情報管理サーバ３００のハードウェア構成の一例を示す図である。
【０１２４】
図１６に示すように、地域監視システム９００は、主として、情報管理サーバ３００と、各々がネットワーク５００を介して情報管理サーバ３００と接続された複数のテレビドアホン装置１（１ａ、１ｂ）と、を備えている。
【０１２５】
また、他の例における地域監視システム９００の情報管理サーバ３００は、情報格納サーバ１００の機能と、情報管理サーバ２００の機能と、を備えるものである。図１７に示すように、情報管理サーバ３００は、主として、情報格納サーバ１００と同様のＲＡＭ１１２および大容量記憶部１１６と、情報管理サーバ２００と同様の検索部２４２、動き検出部２５１、追跡処理部２５２、および報知処理部２５３と、を備えている。
【０１２６】
これにより、各テレビドアホン装置１から送信された屋外情報が情報管理サーバ３００に蓄積されることにより、地域監視システム９００は、地域監視システム８００と同様な機能を発揮することができ、同様な効果を奏することができる。
【図面の簡単な説明】
【０１２７】
【図１】本発明の実施の形態における地域監視システムの全体構成の一例を示す図である。
【図２】テレビドアホン装置の全体構成の一例を示す図である。
【図３】玄関子機のハードウェア構成の一例を示す図である。
【図４】ＭＰＥＧ方式による映像を説明するための図である。
【図５】監視カメラのハードウェア構成の一例を示す図である。
【図６】中継親機のハードウェア構成の一例を示す図である。
【図７】撮像部識別テーブルのデータ構成の一例を示す図である。
【図８】ハンディ子機のハードウェア構成の一例を示す図である。
【図９】情報格納サーバのハードウェア構成の一例を示す図である。
【図１０】画像情報格納テーブルのデータ構成の一例を示す図である。
【図１１】通知先情報格納テーブルのデータ構成の一例を示す図である。
【図１２】映像取込トリガに基づいた映像取得手順の一例を説明するためのフローチャートである。
【図１３】映像取込トリガに基づいた映像取得手順の一例を説明するためのタイミングチャートである。
【図１４】情報管理サーバのハードウェア構成の一例を示す図である。
【図１５】地域内における防犯処理および監視処理を説明するための図である。
【図１６】本発明の実施の形態における地域監視システムの全体構成の他の例を示す図である。
【図１７】図１６の地域監視システムにおける情報管理サーバのハードウェア構成の一例を示す図である。
【符号の説明】
【０１２８】
１（１ａ、１ｂ）  テレビドアホン装置
３  家屋
５  道路
９  人
９ａ  タグ情報送信部
１０  中継親機
２１  動き検出部
２２  異常音検出部
２３  報知処理部
４０  玄関子機
４１、７１  撮像部
４２、７２  受音部
４５、７５  人感センサ
４６、７６  タグ情報受信部
６０  監視カメラ
８０  ハンディ子機
８７  表示部
８８  操作部
１００  情報格納サーバ
１１２  ＲＡＭ
１１２ａ  映像情報格納テーブ（屋外情報格納テーブル）
２００  情報管理サーバ
２４２  検索部
２５１  動き検出部
２５２  追跡処理部
２５３  報知処理部
３００  情報格納管理サーバ
５００  ネットワーク
８００、９００  地域監視システム
【図１】
2008112402.tif 000003
【図２】
2008112402.tif 000004
【図３】
2008112402.tif 000005
【図４】
2008112402.tif 000006
【図５】
2008112402.tif 000007
【図６】
2008112402.tif 000008
【図７】
2008112402.tif 000009
【図８】
2008112402.tif 000010
【図９】
2008112402.tif 000011
【図１０】
2008112402.tif 000012
【図１１】
2008112402.tif 000013
【図１２】
2008112402.tif 000014
【図１３】
2008112402.tif 000015
【図１４】
2008112402.tif 000016
【図１５】
2008112402.tif 000017
【図１６】
2008112402.tif 000018
【図１７】
2008112402.tif 000019